(57)【特許請求の範囲】
【請求項１】
左右の乳房をそれぞれ覆うための左右のカップ部と、
前記左右の前記カップ部と連結されており装着時に装着者の胸囲部分に配置される身頃部と、
前記左右の前記カップ部と前記身頃部の背面側に連結されている肩紐部と、
前記左右の前記カップ部の内側に配置されて、母乳を吸収する為の母乳吸収用パッドの少なくとも一部を覆い保持すると共に、装着時に少なくとも前記乳房の乳首部分を前記母乳吸収用パッドに当接するように前記母乳吸収用パッドを露出するための開口部を有する保持部と、
を備えた授乳用ブラジャーであって、
前記保持部は、前記カップ部の周縁部分に略沿うようにして、前記カップ部の内側の上下に設けられ、
前記保持部と前記乳房の間には、装着した際に装着者の前記乳房を下側から支えて前記乳首部分を前記開口部に誘導するための誘導部が配置されており、
前記装着者の正面側には、前記乳房が外部に露出するように前記カップ部を開閉可能とする係合部が設けられ、
前記誘導部は、前記乳房の下側の形状に沿いつつ、上縁部が上側に凸のＲ形状となっている
ことを特徴とする授乳用ブラジャー。
【請求項２】
前記保持部は、前記カップ部の内側の上下に分離されて、上側の保持部と下側の保持部を有しており、
前記上側の保持部は、その左右両端部が前記下側の保持部の身体側に重なって配置されている
ことを特徴とする請求項１に記載の授乳用ブラジャー。
【請求項３】
少なくとも前記保持部の前記母乳吸収用パッドとの当接側は、撥水性を有する材料で構成されていることを特徴とする請求項１または２に記載の授乳用ブラジャー。
【発明の詳細な説明】
【技術分野】
【０００１】
本発明は、妊娠から出産し、乳幼児の育児を行う期間に使用するブラジャーであって、特に出産後における授乳期に用いる授乳用ブラジャーに関するものである。
【背景技術】
【０００２】
授乳用ブラジャーを用いている母親等の装着者は、授乳の際、授乳用ブラジャーの乳房を覆っているカップ部から乳房を露出して、乳児に対し授乳を行う必要がある。そのため、授乳用ブラジャーのカップ部から乳房が露出し易いように工夫されているような授乳用ブラジャーの構造が従来から提案されてきている。
【０００３】
例えば、カップ部と、装着者の背面側の後身頃部と、後身頃部に接続されており、カップ部の両脇近傍に着脱自在な連結部を介して取付けられている肩紐部とを有している授乳用ブラジャーが提案されている。この従来の授乳用ブラジャーによれば、連結部でカップ部を肩紐部から取り外すと、カップ部がめくれ、前側に倒れるため、容易に乳首が露出されて授乳ができるようになっている（例えば、特許文献１図）。
また、左右のカップ部を係合する係合部が略中央に設けられており、この係合部の係合を解除すると、カップ部は左右（横）に開閉可能となる授乳用ブラジャーも提案されている（例えば、特許文献２、３、４）。
【０００４】
ところで、通常、授乳用ブラジャーは、カップ部の内側（乳房が当たる側）に母乳吸収用パッドなどを設置して使用されている。すなわち、授乳期の妊産婦は、乳幼児への授乳時以外において、母乳が出てしまうことがある。このため、染み出した母乳が衣服等に付着しないように、母乳を吸収するための母乳吸収用パッドをカップ部内に設置しておく。
そして、この母乳吸収用パッドは、使い捨てのものが一般的であるので、数時間毎に取替えられるように、通常、カップ部の内側に両面テープなどの取外し可能な部材によって固定されて使用されている。
【特許文献１】実願昭６１−１１９８０７号（実開昭６３−２７４０９号）のマイクロフィルム
【特許文献２】実願昭６２−６１２１２号（実開昭６３−１４５０９号）のマイクロフィルム
【特許文献３】特開平０８−１２７９０４号公報
【特許文献４】特開２００４−１６９２０９号公報
【発明の開示】
【発明が解決しようとする課題】
【０００５】
ところが、このような母乳吸収用パッドに使用されている両面テープは、ブラジャーの貼り付け位置の生地等を傷めない程度に考慮された貼り付け強度をもつものである為、使用中に母乳吸収用パッドがずれてしまうことがある。そして、ずれてしまうと、母乳吸収用パッドの役割を果たさない状態となってしまうという問題がある。
また、使用中に母乳を吸収したり、湿気を含んだりして、母乳吸収用パッドの重みが増すことなども、母乳吸収用パッドのずれの原因と思われる。
そこで、本発明は、長時間の着用に際しても、母乳吸収用パッドがずれてしまうことがなく、母乳を確実に母乳吸収用パッドに吸収させることのできる授乳用ブラジャーを提供することを目的とする。
【課題を解決するための手段】
【０００６】
上記課題は、請求項１の発明によれば、  左右の乳房をそれぞれ覆うための左右のカップ部と、前記左右の前記カップ部と連結されており装着時に装着者の胸囲部分に配置される身頃部と、前記左右の前記カップ部と前記身頃部の背面側に連結されている肩紐部と、前記左右の前記カップ部の内側に配置されて、母乳を吸収する為の母乳吸収用パッドの少なくとも一部を覆い保持すると共に、装着時に少なくとも前記乳房の乳首部分を前記母乳吸収用パッドに当接するように前記母乳吸収用パッドを露出するための開口部を有する保持部と、を備えた授乳用ブラジャーであって、前記保持部は、前記カップ部の周縁部分に略沿うようにして、前記カップ部の内側の上下に設けられ、前記保持部と前記乳房の間には、装着した際に装着者の前記乳房を下側から支えて前記乳首部分を前記開口部に誘導するための誘導部が配置されており、前記装着者の正面側には、前記乳房が外部に露出するように前記カップ部を開閉可能とする係合部が設けられ、前記誘導部は、前記乳房の下側の形状に沿いつつ、上縁部が上側に凸のＲ形状となっている授乳用ブラジャーにより解決される。
【０００７】
請求項１の構成によれば、授乳用ブラジャーのカップ部の内側には、母乳吸収用パッドの少なくとも一部を覆い保持するための保持部を有している。このため、両面テープなどの接着手段による保持に比べて使用中の母乳吸収用パッドのズレを有効に防止できる。
さらに保持部には母乳吸収用パッドが露出するような開口部が形成されている。従って、装着者が授乳用ブラジャーを装着すると、保持部に設けられている開口部により装着者の乳房の中心領域である乳首部分が母乳吸収用パッドと当接するようになるので、母乳吸収用パッドへの母乳の吸収をスムーズに行うことができる。
【０００９】
また、前記保持部は、前記カップ部の内側において、カップ部の周縁部分と略沿うように形成されているので、母乳吸収用パッドの周囲の動きが規制されて保持性はさらに良好となり、装着者の動きに対して母乳吸収用パッドのずれが起こる事態を効果的に防止できる。
このため、装着者である妊産婦は、乳幼児への授乳に際し、片手で乳幼児を支え、もう一方の手で、授乳用ブラジャーのカップ部から乳房を露出するようにする。この際に、カップ部の内側に固定された母乳吸収用パッドが、カップ部の内側のカップ部周辺に形成されている保持部によって、保持されるため、片手で操作しても母乳吸収用パッドが外れたり、ずれたりしてしまうことが低減できるので、装着者にとって、使い勝手の良いものとなっている。
【００１１】
さらに、保持部と乳房の間には、装着した際に装着者の乳房を下側から支えて乳首部分を開口部に誘導するための誘導部が配置されている。このため、装着者が授乳用ブラジャーを装着する際、この誘導部がガイドとなって、確実に乳首部分を保持部の開口部から露出した母乳吸収用パッドに当接させて、母乳を確実に吸収することが可能となる。
また、装着者の正面側には、乳房が外部に露出するようにカップ部を開閉可能とする係合部が設けられているため、授乳の際に、この係合部の係合を解除してカップ部を開くことができるようになっている。このため、係合部の係合を解除してカップ部を開いて乳首を露出させ、授乳することができる。そして、このようにカップ部を開いても、乳房を下支えする誘導部は、カップ部の開閉作業に連動して開閉しないため、左右のカップ部を開いた場合においても、乳首部分が下がってしまうことが無く、授乳し易いようになっている。
【００１２】
また、好ましくは、前記保持部は、前記カップ部の内側の上下に分離されて、上側の保持部と下側の保持部を有しており、前記上側の保持部は、その左右両端部が前記下側の保持部の身体側に重なって配置されていることを特徴とする。
【００１３】
また、好ましくは、少なくとも前記保持部の前記母乳吸収用パッドとの当接側は、撥水性を有する材料で構成されていることを特徴とする。このため、母乳吸収用パッドに一度、吸収された母乳が、保持部の当接面から保持部に染みてきても保持部の当接側から染み出して来ることがない。したがって、例えば、長時間、母乳吸収用パッドが交換できない環境であっても、装着者が授乳用ブラジャーを装着している際に、保持部側までが濡れてしまい、不快な感じを与えることもない。また、母乳吸収用パッド交換時に当接部が濡れていて不快な思いをすることもない。
【発明の効果】
【００１８】
本発明の授乳用ブラジャーによれば、装着者がこの授乳用ブラジャーを着用する際には、カップ部内の内側に袋状の保持部を有しているので、授乳の際や着用の際に、この保持部により、母乳吸収用パッドの保持が確実に行えるようになっている。また、この保持部には、母乳吸収用パッドを露出するための開口部が形成されているので、乳首部分は確実に母乳吸収用パッドと当接できるようになっている。
【発明を実施するための最良の形態】
【００１９】
以下、本発明の好適な実施例を添付図面に基づいて詳細に説明する。尚、以下に述べる実施例は本発明の好適な具体例であるから、技術的に好ましい種々の限定が付されているが、本発明の範囲は、以下の説明において特に本発明を限定する旨の記載がない限りこれらに限られるものではない。
【００２０】
（第１の実施形態）
図１乃至図６は、本発明の授乳用ブラジャーの一例である第１の実施形態に係る授乳ブラジャー１０を説明するための概略図であり、図１は、装着者Ｍが、授乳ブラジャー１０を着用した状態を示す概略図である。
図２は、装着者Ｍが授乳するために、一方の乳房Ｍ２を露出している状態の一例を示す概略図である。
図３は、授乳ブラジャー１０を表側からみた場合の展開図となっており、かつ、右カップ部１１ａと左カップ部１１ｂが仮想中心線ＣＬで開いていない状態を示しており、図面上は表面（閉）と記している。
図４は、図３の状態の授乳ブラジャー１０を裏側からみた場合の展開図となっており、着用に際しては、装着者Ｍの身体側と接する側であり、図面上は裏面と記している。図３、図４の状態で、装着者が着用すると図１のようになる。
図５は、図３の状態から、右カップ部１１ａと左カップ部１１ｂを仮想中心線ＣＬの部分に配置される右開閉部１５ａ及び左開閉部１５ｂの係合を解除して、観音開きした状態の展開図となっている。以下では、右カップ部１１ａと左カップ部１１ｂを合わせて左右カップ部１１ａ、１１ｂともいう。また、右開閉部１５ａと左開閉部１５ｂを合わせて左右開閉部１５ａ、１５ｂともいう。
【００２１】
図６は、右カップ部１１ａ又は左カップ部１１ｂがそれぞれ対応する乳房Ｍ２を覆っている状態であって、授乳ブラジャー１０の各部と左右の乳房Ｍ２の略中心領域にある乳首Ｍ１部分とその周辺の関係の位置状態を示す概略説明図となっている。つまり、後述するように、左右カップ部１１ａ、１１ｂの内側には、それぞれ母乳パッド２１が配置されている。そして、この左右それぞれの母乳パッド２１は、左右カップ部１１ａ、１１ｂの内側にそれぞれ形成されている母乳パッド保持部１９ａ、１９ｂにより保持されている。そして、各母乳パッド２１は、各母乳パッド保持部１９ａ、１９ｂの各開口部１８ａ、１８ｂから露出されるようになっている。また、さらにその内側にある装着者Ｍの乳房Ｍ２側には、左右の各乳房Ｍ２に対応するように右支持部２３ａと左支持部２３ｂとが配置されている。ここで、母乳パッド２１は、母乳吸収用パッドの一例となっている。
なお、図６では、乳房Ｍ２等と授乳ブラジャー１０との各部が、空間を空けて配置しているようになっているが、実際に装着者Ｍが授乳ブラジャー１０を着用している状態では、これらの空間は、それぞれ狭くなる方向に移動し、装着者Ｍの乳房Ｍ２と接触するようになっている。
【００２２】
これら図１乃至図６に示される授乳ブラジャー１０は、マタニティ用ブラジャーとも呼ばれるものである。  
図１乃至図３を参照すると、授乳ブラジャー１０は、胸部に巻かれる帯状の身頃部（右前身頃１４ａ、左前身頃１４ｂ、右後身頃１４ｃ、左後身頃１４ｄ、右脇支持部３２ａ、左脇支持部３２ｂ）と、この身頃部に縫合されて乳房を覆う右カップ部１１ａおよび左カップ部１１ｂと、身頃部および左右カップ部１１ａ、１１ｂに接続された肩紐部（右ストラップ部１２ａ、左ストラップ部１２ｂ）等の各部を有している。
そして、図３を参照すると、右カップ部１１ａは右前身頃１４ａと、左カップ部１１ｂは左前身頃１４ｂと、それぞれ繋がっている。また、右前身頃１４ａは、右脇支持部３２ａを介して右後身頃１４ｃと繋がっており、左前身頃１４ｂは、左脇支持部３２ｂを介して左右後身頃１４ｄと繋がっている。
以下、それぞれ合わせて、右前身頃１４ａと左前身頃１４ｂは左右前身頃１４ａ、１４ｂといい、右後身頃１４ｃと左後身頃１４ｄは左右後身頃１４ｃ、１４ｄと、右脇支持部３２ａと左脇支持部３２ｂは左右脇支持部３２ａ、３２ｂと、右ストラップ部１２ａと左ストラップ部１２ｂは左右ストラップ部１２ａ、１２ｂともいう。
【００２３】
そして、図３及び図４を参照すると、この授乳ブラジャー１０は、左後身頃１４ｄ及び右後身頃１４ｃの前身頃側の一方の端部がそれぞれ左右脇支持部３２ａ、３２ｂと繋がっている。また、左後身頃１４ｄ及び右後身頃１４ｃは、背中側の他方の端部のいずれか一方にフック状の係止部２７ｂが設けられ、いずれか他方にループ２７ａが設けられている。これにより、装着者Ｍが、装着者Ｍの背面側でループ２７ａに係止部２７ｂをかけると、授乳ブラジャー１０は装着者Ｍの乳房Ｍ２下側の胸囲部分で止まり、装着者Ｍの左右の乳房Ｍ２をそれぞれ左右カップ部１１ａ、１１ｂで覆うように装着される。
このループ２７ａは、長手方向に列設されており、段階的な長さ調節が可能な長さ調整部３０となっている。図面上では、ループ２７は、長さ調整部３０に縦に二つ設けられて１組となっており、その組が長さ方向に沿って４列程度設けられ、胸囲部に巻かれる身頃部（図４の支持部台前中心部２９ａを含む支持部台前身頃２９及び左右後身頃部１４ｃ，１４ｄ）の長さが調整できるようになっている。ここで、長さ調整とは、装着者Ｍが授乳ブラジャー１０を着用した際に胸囲部分に配置される支持部台前身頃部２９と左右後身頃１４ｃ、１４ｄのいわゆる身頃部分の長さ調整である。そして、乳房Ｍ２の下側近傍の胸囲部分の寸法、いわゆるアンダーバスト部２０の寸法の調整ができるようになっている。アンダーバスト部２０は、図１及び図２に示されるように、装着者Ｍが授乳ブラジャー１０を装着（着用ともいう）した際に、乳房Ｍ２の下側近傍の胸囲部分（アンダーバスト）に配置される部分となっている。つまり、長さ調整部３０によって、アンダーバスト部２０の調整を行うことができる。
以上のように、授乳ブラジャー１０は、支持部台前身頃部２９と左右後身頃１４ｃ、１４ｄ身頃部分が、それぞれ左右脇支持部３２ａ、３２ｂを介して縫合され連結された部分を、装着者Ｍの胸囲部分に配置し、装着者Ｍの胸囲部分に合うように、装着者Ｍの背面側で、ループ２７ａに係止部２７ｂをかけて、装着者Ｍのアンダーバスト部２０の長さを調整して装着することができるようになっている。
【００２４】
また、左右カップ部１１ａ、１１ｂは、いわゆるモールドタイプといわれるパッドで構成されたカップとなっている。
このモールドタイプのカップは、まず、その芯材となるパッドを形成する。このパッドは、乳房Ｍ２の形状に近い御椀状の丸みを有する金型等をクッション性の良い材質からなるシートに当て、熱等でその形状をシートに転写させた後、乳房Ｍ２を覆うことが出来る程度の大きさとなるように周辺を切断して形成される。このクッション性の良い材質からなるシートは、例えば、ウレタンなどの材質からなるシートが使用される。そして、モールドタイプのカップは、このパッドを芯材として、そのパッドの両面に布地を張り、この布地をパッドの周囲部分で縫合して固定し、形成される。
このように、左右カップ部１１ａ、１１ｂを構成するパーツであるモールドタイプのカップが形成される。
そして、この縫合する布地には２通りの立体成形方法がある。１つは、カップの成形と同様熱を用いて立体成形しパッドに縫合する方法である。この場合熱によって立体に成形する必要があるため、エステル素材もしくはエステル混素材が適している。もう１つの方法は、ダーツをとることにより立体成形する方法で、この場合は特に生地の素材は選ばない。
いずれの方法で成形した場合でも左右のカップ部１１ａ、１１ｂの裏側（装着者Ｍが着用した際に内側）には、肌触りの良い綿や綿混紡素材等の生地を使用することが好ましい。
このように形成された左右カップ部１１ａ、１１ｂには、その中心部分、つまり、ちょうど乳首Ｍ１部分が配置されている領域に縫合跡となる縫い目が無い。
このため、装着者Ｍが、この授乳ブラジャー１０を着用して、アウターとして薄い衣服を着用した際に、縫合部分が目立たず好ましい。
【００２５】
この授乳ブラジャー１０の左右ストラップ部１２ａ、１２ｂには、それぞれ調整部１３が配置されている。そして、この調整部１３によって、左右ストラップ部１２ａ、１２ｂの長さ調整が可能となっている。これらの調整部１３は、プラスチック製となっている。そして、装着者Ｍは、これらの調整部１３により、着用の際に左右の肩部分との当りを調整することができる。
ここで、この左右ストラップ部１２ａ、１２ｂは、長手方向に伸縮性のある材料で構成されることが好ましく、例えば、博多織やニードル等のポリウレタン等の弾性体を含む紐状の織物である。このような左右ストラップ部１２ａ、１２ｂは、肩紐部の一例となっている。
【００２６】
また、この左右ストラップ部１２ａ、１２ｂは、左右カップ部１１ａ、１１ｂの部分、及び左右後身頃１４ｃ、１４ｄに対して、それぞれ着脱可能に連結されている。つまり、左右ストラップ部１２ａ、１２ｂは、長手方向の両端側に設けられた取外し部２４を介して、左右カップ部１１ａ、１１ｂおよび左右後身頃１４ｃ、１４ｄに連結されている。この取外し部２４は、詳細には図示はしないが、例えば、プラスチック製や金属製等からなる輪状部分と、この輪状部分の一端部側から伸びる返し部であるＬ字状部分とを有するようになっている。そして、取外し部２４の輪状部分は、左右ストラップ部１２ａ、１２ｂのそれぞれの両端側に取り付けられ、取外し部２４のＬ字状部分は、左右カップ部１１ａ、１１ｂ及び左右後身頃１４ｃ、１４ｄにそれぞれ設けられたループ状の連結部分に通して引っ掛けるようにすると、左右ストラップ部１２ａ、１２ｂは、取外し部２４を介して、左右カップ部１１ａ、１１ｂおよび左右後身頃１４ｃ、１４ｄに連結される。
従って、この取外し部２４のＬ字状部分は、左右カップ部１１ａ、１１ｂ及び左右後身頃１４ｃ、１４ｄにそれぞれ設けられた筒状の連結部分から引き抜くと、左右ストラップ部１２ａ、１２ｂは、左右カップ部１１ａ、１１ｂおよび左右後身頃１４ｃ、１４ｄから容易に取り外すことができる。
このため、装着者Ｍは、左右ストラップ部１２ａ、１２ｂを取り外して、いわゆるストラップレスの授乳ブラジャー１０として、使用することもできる。
【００２７】
また、図４及び図５を参照すると、左右カップ部１１ａ、１１ｂ及びこれらと繋がるそれぞれの左右前身頃１４ａ、１４ｂの内側には、それぞれ右支持部２３ａと左支持部２３ｂとが備えられている。右支持部２３ａ及び左支持部２３ｂは、乳房Ｍ２を下側から支えると共に、後述する誘導部としての機能も発揮する部分となっている。また、図４に示される支持部台前身頃部２９と繋がるように構成されている。以下、右支持部２３ａと左支持部２３ｂとを合わせて左右支持部２３ａ、２３ｂともいう。
この左右支持部２３ａ、２３ｂは、左右の乳首Ｍ１部分より下側の乳房Ｍ２の湾曲形状と略沿うようになっている。そして、この左右支持部２３ａ、２３ｂの右支持部下縁部３３ａ及び左支持部下縁部３３ｂは、それぞれ左右の乳房Ｍ２の下側周縁の形状と略沿うようになっている。また、この右支持部下縁部３３ａ及び左支持部下縁部３３ｂには、それぞれワイヤー２６が配置されているが、これらのワイヤー２６は、左右の乳房Ｍ２の間、前中心部（仮想中心線ＣＬの近傍）までは配置されていない。つまり、左のワイヤー２６は、前中心部（仮想中心線ＣＬの近傍）より左にずれた位置まで延伸されており、この位置に左のワイヤー端部２２が配置されている。そして、右のワイヤー２６は、前中心部より右にずれた位置まで延伸されており、この位置まで右のワイヤー端部２２が配置されている。従って、本実施形態では、これらのワイヤー２６は、係合台座部１６が配置されている部分までは延伸されていないようになっている。
このため、後述するように、左右カップ部１１ａ、１１ｂを開閉する際に使い勝手の良いものとなっている。ここで、これらのワイヤー２６は、弾性変形可能なプラスチック樹脂や、金属等で形成されている。
【００２８】
そして、右支持部２３ａの下端周辺部には、ワイヤー２６が配置されており、乳房Ｍ２の下側周縁の形状と略沿うようになっている。この右支持部２３ａの下端周辺部は、右支持部下縁部３３ａとなっている。また、同じく左支持部２３ｂの下端周辺部には、ワイヤー２６が配置されており、乳房Ｍ２の下側周縁の形状と略沿うようになっている。この左支持部２３ｂの下端周辺部は、左支持部下縁部３３ｂとなっている。
そして、左右支持部２３ａ、２３ｂと支持部台前身頃部２９とは、右支持部下縁部３３ａ又は左支持部下縁部３３ｂをそれぞれ介して縫合され連結されている。
【００２９】
また、図４を参照すると、右支持部下縁部３３ａ及び左支持部下縁部３３ｂとは、仮想中心線ＣＬの近傍で、互いに交差しており、クロス部２８となっている。
そして、支持部台前身頃部２９は、左脇支持部３２ｂと左支持部下縁部３３ｂの間の領域と、右脇支持部３２ａと右支持部下縁部３３ａの間の領域、及び、クロス部２８とアンダーバスト部２０で囲まれた領域とを有するようになっている。
また、支持部台前身頃部２９の内で、アンダーバスト部２０で囲まれた領域である支持部台前中心部２９ａは、左右支持部２３ａ、２３ｂが左右どちらか一方にずれるのを防止するために、例えば、マーキゼット等の伸縮性の少ない材質で構成されている。
また、この支持部台前中心部２９ａ以外の支持部台前身頃部２９は、伸縮性のある材料が好ましい。また、同様に、左右前身頃１４ａ、１４ｂ及び左右後身頃１４ｃ、１４ｄも、伸縮性の良い材料が好ましい。従って、例えば、これらは、いわゆるサテンネット、ストレッチサテン、パワーネット等の伸縮性の良い材料が好ましい。
そして、左右カップ部１１ａ、１１ｂと縫合され一体化されている左右前身頃１４ａ、１４ｂは、左右支持部２３ａ、２３ｂと縫合され一体化されている支持部台前身頃部２９と重なるように配置されている。
【００３０】
また、図５を参照すると、この支持台前身頃部２９の係合台座部１６には、仮想中心ＣＬを挟んで左右に、それぞれ１つずつ係合凹部１６ａが設けられている。そして、それぞれの係合凹部１６ａは、右開閉部１５ａと左開閉部１５ｂにそれぞれ備わる係合凸部１６ｂと係合させる。すると、左右前身頃１４ａ、１４ｂと支持部台前身頃部２９とは、固定され、一体化される。この係合凹部１６ａと係合凸部１６ｂは、例えば、プラスチック製のホック等で構成されている。
つまり、この授乳ブラジャー１０は、左右カップ部１１ａ、１１ｂと左右前身頃１４ａ、１４ｂの内側には、左右支持部２３ａ、２３ｂと支持部台前身頃部２９が配置されるようになっている。そして、装着者Ｍがこの授乳ブラジャー１０を着用すると、装着者Ｍの正面側は、二重となっている部分を有するようになる（図２、図４、図６参照）。
【００３１】
また、図４を参照すると、左右後身頃１４ｃ、１４ｄと支持部台前身頃部２９は、それぞれ右脇支持部３２ａ及び左脇支持部３２ｂで縫合され一体化されている。以下、右脇支持部３２ａと左脇支持部３２ｂをまとめて左右脇支持部３２ａ、３２ｂともいう。
この左右脇支持部３２ａ、３２ｂは、装着者Ｍが着用した際に、装着者Ｍの両脇線上の胴体部分に配置されるようになっている。そして、左右脇支持部３２ａ、３２ｂは、装着者Ｍの乳房Ｍ２を左右カップ部１１ａ、１１ｂ内に収める為に、両脇線上の胴体部分でしっかりと押さえ、左右にずれないようにしている。そのため、この左右脇支持部３２ａ、３２ｂは、ある程度形状が保持できるように硬く弾力性のある材料が望ましく、例えば、平ボーン等である。
本実施形態の授乳ブラジャー１０は、以上のように構成されている。
【００３２】
ここで、図２を参照しつつ更に説明する。装着者Ｍがこの授乳ブラジャー１０を着用すると、上述したように各ワイヤー２６の各ワイヤー端部２２は装着者Ｍの左右の乳房Ｍ２の間まで配置されていない。従って、左右のワイヤー２６のワイヤー端部２２は、前中心部を空けるように配置されている。
このため、装着者Ｍがこの授乳ブラジャー１０を着用した際に、ワイヤー２６の端部が左右乳房Ｍ２の間の皮膚に当たらず、痛くならず、着け心地の良いものとなっている。
【００３３】
授乳の際には、装着者Ｍは、授乳ブラジャー１０の左右カップ部１１ａ、１１ｂのどちらかを開き、乳房Ｍ２を露出させる必要がある。
そのため、装着者Ｍは、左右カップ部１１ａ、１１ｂの左右開閉部１５ａ、１５ｂのどちらかを摘まみ、いずれか一方を係合台座部１６から解除して、左右カップ部１１ａ、１１ｂのどちらか一方を開き、乳房Ｍ２を露出させる。
この場合、上述したように、各ワイヤー２６が前中心部を空けるようにされているので、装着者Ｍの指が左右開閉部１５ａ、１５ｂを摘みやすく、係合台座部１６から解除し易いため、装着者Ｍは片手で容易に操作ができるので、使い勝手の良いものとなっている。
【００３４】
また、左右支持部２３ａ、２３ｂは、乳房Ｍ２の下側の湾曲形状に合うような立体的な形状となっている。このため、左右カップ部１１ａ、１１ｂを開いた場合には、左右支持部２３ａ、２３ｂが、装着者Ｍの左右の乳房Ｍ２をそれぞれ下側から支えることができるようになっている。
つまり、右支持部２３ａの右支持部上縁部３４ａは上側に凸のＲ形状となっており、右支持部下縁部３３ａは乳房Ｍ２の下側の周縁形状に沿うような形状となっている。そして、右支持部下縁部３３ａに沿うようにワイヤー２６が配置されている。
また、右支持部２３ａは、右支持上縁部３４ａと右支持下縁部３３ａとが交わる係合台座部１６と連結部２５の近傍の二点を起点として、右支持上縁部３４ａと右支持下縁部３３ａとで形成される曲面で乳房Ｍ２を支えるようになっている。
同様に、左支持部２３ｂは、右支持部２３ａと左右対称となるような形状となっており、左支持上縁部３４ｂと左支持下縁部３３ｂとが交わる係合台座部１６と連結部２５の近傍の二点を起点として、左支持上縁部３４ｂと左支持下縁部３３ｂとで形成される曲面で乳房Ｍ２を支えるようになっている。
【００３５】
また、図６で示すように、装着者Ｍが授乳ブラジャー１０を装着している場合において、この授乳ブラジャー１０と装着者Ｍとの関係を横から観察すると、左右支持部２３ａ、２３ｂは、支持部台前身頃部２９の位置から前側である装着者Ｍの乳房Ｍ２の膨らみの出ている側にやや傾斜して、乳房Ｍ２を下から支えるようになっている。そして、上述したように、右支持部上縁部３４ａ及び左支持上縁部３４ｂは、上側に凸のＲ形状となっているので、左右支持部２３ａ、２３ｂによって各乳房Ｍ２を下側から支える面積が大きくなっている。このため、左右支持部２３ａ、２３ｂは、乳房Ｍ２の下側の形状に沿いつつ、大きい面積で下側から乳房Ｍ２を確実に支えることが可能となっている（図２、図５参照）。また、右支持部上縁部３４ａ及び左支持上縁部３４ｂは、そのＲ形状によって、乳房Ｍ２の乳首Ｍ１を開口部１８ａ、１８ｂに確実に誘導することが可能な誘導部の一例となっている。
【００３６】
そして、左右カップ部１１ａ、１１ｂが、それぞれの乳房Ｍ２を覆っている際には、この左右支持部２３ａ、２３ｂは、左右の乳房Ｍ２のそれぞれの乳首Ｍ１部分を左右カップ部１１ａ、１１ｂの内側にそれぞれ形成されている開口部１８ａ、１８ｂまで、ガイドするようになっている。このため、乳首Ｍ１部分は、開口部１８ａ、１８ｂから露出される配置されている母乳パッド２１と当接されるようになっている。
【００３７】
また、図２で示すように、この左右支持部２３ａ、２３ｂによって、授乳の際に、左右カップ部１１ａ、１１ｂを開いても乳首Ｍ１部分の位置がずれないので、装着者Ｍは、片手で授乳をし易く、使い勝手の良いものとなっている。
従って、この授乳ブラジャー１０は、通常のブラジャーの機能である乳房Ｍ２の保護と形状保持性等を保ちつつ、授乳の際には簡単に乳房Ｍ２を露出することができる。そして、左右カップ部１１ａ、１１ｂで乳房Ｍ２が覆われている状態では、乳首Ｍ１部分が確実に母乳パッド２１と当接され、母乳は、母乳パッド２１にスムーズに吸収される。
【００３８】
しかも、この左右支持部２３ａ、２３ｂは、装着者Ｍの乳房Ｍ２等との当たりをソフトにするために、柔らかい材質で構成されている。
例えば、左右支持部２３ａ、２３ｂは、クッション性の良い不織布等を布地で挟んだものが使用されている。そして、左右支持部２３ａ、２３ｂの装着者Ｍの乳房Ｍ２と接触する側である内側は、肌触りの良い材質である綿天竺や綿トリコット等の布地が使用されることが好ましい。また、左右支持部２３ａ、２３ｂの母乳パッド２１側には、母乳パッド２１に吸収された母乳が滲入するのを防止するため、撥水性を有する材質や防水性処理を施されている布地等が使用されることが好ましい。
このように、左右支持部２３ａ、２３ｂは、肌触りの良い布地と撥水性の良い布地で、クッション性の良い不織布等を挟んだ３層構造のものとなっていることが好ましい。
このため、左右支持部２３ａ、２３ｂは、柔らかい材質のものを使用しつつも、装着者Ｍの乳房Ｍ２は確実に支えることができる構成となっている。
従って、左右カップ部１１ａ、１１ｂのどちらかを開いて乳房Ｍ２を露出させた授乳の際においても、乳首Ｍ１の位置がずれることないので、装着者Ｍは乳幼児に母乳を与え易くなっている。
【００３９】
ここで、図５を用いて授乳ブラジャー１０に母乳パッド２１を配置している状態等と母乳パッド２１を取付ける方法について更に説明する。
図５の表面（開）は、上述したように、図１及び図２の授乳ブラジャー１０の左右カップ部１１ａ、１１ｂが左右開閉部１５ａ、１５ｂの各係合凸部１６ｂとそれぞれに対応するように係合台座部１６に設けられた係合凹部１６ａとの係合を解除して、左右開閉部１５ａ、１５ｂのそれぞれをめくり、観音開き状に開いた状態の展開図である。
図５で示すように、これらの母乳パッド２１は、左右カップ部１１ａ、１１ｂの内側にそれぞれ配置されるようになっている。そして、左右カップ部１１ａ、１１ｂの内側には、左右カップ部１１ａ、１１ｂの左右カップ周縁部１７ａ、１７ｂにそれぞれ沿うように袋状の母乳パッド保持部１９ａ、１９ｂが形成されており、これらの母乳パッド２１はこの母乳パッド保持部１９ａ、１９ｂによって、左右カップ部１１ａ、１１ｂ内に保持するように配置されている。母乳パッド２１の少なくとも一部、つまり、母乳パッド２１の周縁が、母乳パッド保持部１９ａ、１９ｂで覆われるようになっている。そして、母乳パッド保持部１９ａ、１９ｂにはそれぞれ開口部１８ａ、１８ｂが形成されており、これらの母乳パッド２１はこの開口部１８ａ、１８ｂからそれぞれ露出するようになっている。
【００４０】
つまり、各母乳パッド２１が、この左右カップ部１１ａ、１１ｂとその左右カップ周縁部１７ａ、１７ｂに沿うように形成されている母乳パッド保持部１９ａ、１９ｂとの間に収容されて、左右カップ部１１ａ、１１ｂに配置されている状態となっている。
ここでは、これらの母乳パッド保持部１９ａ、１９ｂは、左右カップ周縁部１７ａ、１７ｂで左右カップ部１１ａ、１１ｂと縫合され一体となっている。そして、これらの母乳パッド保持部１９ａ、１９ｂは、上下で分離されており、上側の母乳パッド保持部１９ａ、１９ｂ（上側の保持部の一例）が下側の母乳パッド保持部１９ａ、１９ｂ（下側の保持部の一例）と左右開閉部１５ａ、１５ｂ及び連結部２５の付近で一部分を重なり合うようにして縫合され、袋状とされている。
【００４１】
次に、装着者Ｍが、この授乳ブラジャー１０に母乳パッド２１を取付ける方法の一例を説明する。左右カップ部１１ａ、１１ｂにそれぞれ母乳パッド２１を配置して、母乳パッド保持部１９ａ、１９ｂに収容する際には、装着者Ｍは、まず、左右カップ部１１ａ、１１ｂのどちらか一方を開く。
つまり、装着者Ｍは、左右カップ部１１ａ、１１ｂの左右開閉部１５ａ、１５ｂのどちらか一方の係合を解除する。そして、左右カップ部１１ａ、１１ｂのどちらか一方を開く。ここでは、例えば、左カップ部１１ｂを開いた場合を説明する。
装着者Ｍは、開いた方のカップである左カップ部１１ｂの上下どちらか一方の母乳パッド保持部１９ｂを片手で広げる。装着者Ｍは、下側の母乳パッド保持部１９ｂをめくり広げる。そして、装着者Ｍは、もう一方の手で、母乳パッド２１の周囲の一部を左カップ部１１ｂと下側の母乳パッド保持部１９ｂの間に挿入する。次に、装着者Ｍは、上側の母乳パッド保持部１９ｂを広げて母乳パッド２１の残りの周囲を挿入し、挿入した部分を母乳パッド保持部１９ｂで覆う。そして、左カップ部１１ｂの左開閉部１５ｂの係合凸部１６ｂと係合台座部１６の係合凹部１６ａとを合わせて、左カップ部１１ｂを閉じて元の状態に戻す。一方、右カップ部１１ａにも同様に母乳パッド２１を配置して、保持する。
【００４２】
このように、左右カップ部１１ａ、１１ｂの内側にそれぞれ母乳パッド２１を配置することができる。
また、この母乳パッド２１の裏側には、固定手段としての両面テープ３１が配置されている。このため、母乳パッド２１は、左右カップ部１１ａ、１１ｂ内に両面テープ３１で貼り付けることにより、左右カップ部１１ａ、１１ｂ内における各母乳パッド２１の位置決めが容易に行える。
ここで、母乳パッド２１の裏側とは、乳房Ｍ２の乳首Ｍ１との当接面とは反対側であり、左右カップ部１１ａ、１１ｂの内側の面と対面する側である。
【００４３】
つまり、母乳パッド２１は、左右カップ部１１ａ、１１ｂ内に両面テープ３１で貼り付けて固定され、その周囲を左右カップ部１１ａ、１１ｂと母乳パッド保持部１９ａ、１９ｂの間に挿入され、母乳パッド保持部１９ａ、１９ｂでその周囲を覆われるように配置される。すると、各母乳パッド２１の中心部領域が各母乳パッド保持部１９ａ、１９ｂの各開口部１８ａ、１８ｂから、露出されるようになる。
【００４４】
このため、装着者Ｍがこの授乳ブラジャー１０を着用すると、各開口部１８ａ、１８ｂから露出する各母乳パッド２１に左右それぞれの乳首Ｍ１部分が確実に接するようになる。従って、母乳パッド２１への母乳の吸収が、スムーズに行われ、確実に吸収される。  
また、各母乳パッド２１は、各母乳パッド保持部１９ａ、１９ｂにより、その周囲が覆われて保持されている。このため、長時間の使用であっても、装着者Ｍの動きに対応し、母乳パッド２１が、ずれることを低減できる。
【００４５】
ここで、右カップ部１１ａ及び左カップ部１１ｂは、左右の乳房をそれぞれ覆うための左右のカップ部の一例となっている。
また、右前身頃１４ａ、左前身頃１４ｂ、支持台前身頃部２９、右後身頃１４ｃ、左後身頃１４ｄは、装着時（着用時）に装着者の胸囲部分に配置される身頃部の一例となっている。
そして、右ストラップ部１２ａと左ストラップ部１２ｂは、肩紐部の一例となっており、左右カップ部１１ａ、１１ｂと身頃部の背面側である左右後身頃１４ｃ、１４ｄに連結されている。
また、各母乳パッド保持部１９ａ、１９ｂは、保持部の一例となっており、このそれぞれの母乳パッド保持部１９ａ、１９ｂにより左右カップ部の内側に母乳を吸収する為の母乳パッド２１がそれぞれ保持できるようになっている。
そして、これらの母乳パッド保持部１９ａ、１９ｂ（保持部の一例）は、装着時に少なくとも乳房Ｍ２の中心領域である乳首Ｍ１部分が母乳パッド２１と当接するために、それぞれの母乳パッド２１を露出させる開口部１８ａ、１８ｂを有している。
【００４６】
このため、母乳パッド保持部１９ａ、１９ｂ（保持部の一例）により母乳パッド２１が保持されるので、ずれてしまうことを低減でき、また、開口部１８ａ、１８ｂから露出した母乳パッド２１が装着者Ｍの乳首Ｍ１領域に当接されるので、母乳パッド２１への母乳の吸収がスムーズとなる。
【００４７】
また、これらの母乳パッド保持部１９ａ、１９ｂ（保持部の一例）は、左右カップ部１１ａ、１１ｂの周辺である左右カップ周縁部１７ａ、１７ｂと略沿うように配置されている。
このため、母乳パッド２１の周縁の動きが規制されるので、保持性はさらに良好となる。装着者Ｍの動きに対して母乳パッド２１のずれが起こること自体を効果的に防止できる。また、装着者Ｍは、乳幼児への授乳の際に、乳幼児を片手で支え、もう一方の手で、授乳ブラジャー１０の左右カップ部１１ａ、１１ｂのどちらか一方から乳房Ｍ２を露出する。この際にも、母乳パッド２１は、母乳パッド保持部１９ａ、１９ｂによって保持されているので、片手で操作しても母乳パッド２１が外れたり、ずれたりしてしまうことを低減できる。このため、使い勝手の良いものとなっている。
【００４８】
しかも、母乳パッド保持部１９ａ、１９ｂと乳房Ｍ２の間には、装着した際に装着者Ｍの乳房Ｍ２を下側から支えて乳首Ｍ１部分を開口部１８ａ、１８ｂに誘導するための誘導部の一例である左右支持部２３ａ、２３ｂが配置されている。
この左右支持部２３ａ、２３ｂは、装着者Ｍの乳房Ｍ２を下側から支えて、乳首Ｍ１部分を左右カップ部１１ａ、１１ｂの母乳パッド保持部１９ａ、１９ｂに形成されている開口部１８ａ、１８ｂに導くようなガイド部材となり、確実に乳首Ｍ１部分は、開口部１８ａ、１８ｂから露出した母乳パッド２１に当接できる。
【００４９】
従って、装着者Ｍが、授乳ブラジャー１０を装着して、左右カップ部１１ａ、１１ｂで左右の乳房Ｍ２を覆っている状態においては、装着者Ｍの乳首Ｍ１部分は、開口部１８ａ、１８ｂを介して、左右カップ部１１ａ、１１ｂの内側に配置されている母乳パッド２１と当接される。このため、母乳は、母乳パッド２１にスムーズに吸収される。
また、装着者Ｍが、授乳の際に左右カップ部１１ａ、１１ｂのいずれか一方を開いた場合においては、装着者Ｍの乳房Ｍ２は、左右支持部２３ａ、２３ｂによって、下側から支えられる。このため、乳首Ｍ１部分が下がってしまうことが無く、装着者Ｍは、乳幼児に対し授乳をし易い。
【００５０】
そして、装着者Ｍの正面側であって、左右カップ部１１ａ、１１ｂの仮想中心線ＣＬ近傍の略中心部には、開閉可能な係合部の一例である係合凹部１６ａを有する左右開閉部１５ａ、１５ｂが設けられており、左右カップ部１１ａ、１１ｂは装着者Ｍの両脇方向に開くようになっている。つまり、左右カップ部１１ａ、１１ｂは、左右開閉部１５ａ、１５ｂで開くと、観音開き上に開くことができ、装着者Ｍは片手で容易に乳房Ｍ１を露出できる。
【００５１】
また、母乳パッド保持部１９ａ、１９ｂの母乳パッド２１との当接側は、撥水性を有する材料で構成されている。このため、母乳パッド２１に吸収された母乳は、母乳パッド保持部１９ａ、１９ｂ側に染みてきても保持部側まで濡れて不快な感じを与えることもない。従って、例えば、装着者Ｍが、長時間、母乳パッド２１を交換できない環境であっても、母乳パッド保持部１９ａ、１９ｂ側まで濡れてしまうことが無く、装着者Ｍは不快感を与えない。また、母乳パッド交換時に当接部が濡れていて不快な思いをすることもない。
【００５２】
肩紐部の一例である左右ストラップ部１２ａ、１２ｂは、左右のカップ部の一例である左右カップ部１１ａ、１１ｂと身頃部の背面側の一例である右後身頃１４ｃ、左後身頃１４ｄとにそれぞれ着脱可能に連結されている。
このため、装着者Ｍは、左右カップ部１１ａ、１１ｂと左右後身頃１４ｃ、１４ｄの両方から左右ストラップ部１２ａ、１２ｂを取り外すと、いわゆるストラップレスの授乳ブラジャー１０として使用できる。このため、装着者Ｍにとって便利である。
【００５３】
（第２の実施形態）
図７乃至図９は、第２の実施形態に係る授乳ブラジャー１０ａの一例となっている。
図７は、装着者Ｍが、授乳ブラジャー１０ａを着用した状態を示す概略図であり、図８は、装着者Ｍが授乳するために、一方の乳房を露出している状態の一例を示す概略図となっている。図９は、授乳ブラジャー１０ａを裏側からみた場合の展開図の一部となっており、右カップ部１０１ａの裏側、つまり、着用に際しては、装着者Ｍの身体側と接する側となる一部の概略拡大図となっている。
【００５４】
この授乳ブラジャー１０ａは、第１の実施形態と同様に、左右後身頃１４ｃ，１４ｄは、図示はしないものの、ループ２７ａ、係止部２７ｂ及び長さ調整部３０を有しており、長さ調整可能となっている。また、各部の材質等は、第１の実施形態と同様となっている。そして、第１の実施形態と同様の構成は、同一の符号を付しており、説明は、省略し、ここでは、異なる点を中心に説明する。
【００５５】
第２の実施形態に係る授乳ブラジャー１０ａが、第１の実施形態に係る授乳ブラジャー１０と異なる点は、左右支持部２３ａ、２３ｂを有していない点と、前身頃部１０４は、仮想中心線ＣＬで左右に分かれることなく一体となっており、二重とはなっていない点にある（図７参照）。
また、右カップ部１０１ａ、左カップ部１０１ｂ（以下、左右カップ部１０１ａ、１０１ｂともいう）と右ストラップ部１０２ａ、左ストラップ部１０２ｂ（以下、左右ストラップ部１０２ａ、１０２ｂともいう）の連結部分には、それぞれ開閉式留具２０４が設けられており、左右カップ部１０１ａ、１０１ｂは、この開閉式留具２０４部分で、左右ストラップ部１０２ａ、１０２ｂに着脱可能に連結されている。そして、授乳の際に、右カップ部１０１ａ又は左カップ部１０１ｂが、開閉式留具２０４で開放され、開放された左右カップ部１０１ａ、１０１ｂは、下側にめくれ、アンダーバスト側２０に倒れるようになっている点にある（図８参照）。
【００５６】
また、左右ストラップ部１０２ａ、１０２ｂは、左右後身頃１４ｃ、１４ｄとは着脱可能に連結されておらず、取外しが出来ないようになっている（図９参照）。
しかし、各母乳パッド保持部１０９ａ、１０９ｂが、左右カップ部１０１ａ、１０１ｂの左右カップ周縁部１０７ａ、１０７ｂに略沿うように設けられている点と、各開口部１８ａ、１８ｂを有する点は同様となっている。従って、それぞれの母乳パッド２１が、この各開口部１８ａ、１８ｂから装着者Ｍの乳房Ｍ２の乳首Ｍ１部分と当接するように露出されている点は同様となっている（図８及び図９参照）。
【００５７】
図７を参照すると、第２の実施形態に係る授乳ブラジャー１０ａの、右カップ部１０１ａ及び左カップ部１０１ｂは、左右の乳房Ｍ２をそれぞれ覆うように設けられている。そして、この右カップ部１０１ａは、前身頃１０４と右カップ周縁部１０７ａの下側と縫合され、左カップ部１０１ｂは、左カップ周縁部１０７ｂの下側と縫合され、連結されている。
この右カップ周縁部１０７ａ及び左カップ周縁部１０７ｂの下側は、乳房Ｍ２の下側周縁に沿うようになっており、それぞれワイヤー２０６（図９参照）が配置されている。
そして、図９を参照すると、このワイヤー２０６は、右カップ周縁部１０７ａの下側及び左カップ周縁部１０７ｂの下側と前身頃１０４とが縫合されて連結されている部分に沿って、それぞれ配置されており、仮想中心ＣＬで左右対称となるように配置されている。
そして、左右ストラップ部１０２ａ、１０２ｂにそれぞれ備わっている開閉式留具２０４によって、左右カップ部１０１ａ、１０１ｂが着脱可能に連結されている。
つまり、右ストラップ部１０２ａに設けられた開閉式留具２０４によって、右カップ部１０１ａは、着脱可能にされており、同様に、左ストラップ部１０２ｂに設けられた開閉式留具２０４によって、左カップ部１０１ｂは、着脱可能にされている。
【００５８】
そして、例えば、図９を参照すると、この右ストラップ部１０２ａの一端側は、右後身頃１４ｃに対して、縫合されており、その他端側は、右カップ部１０１ａの内側において、右カップ周縁部１０７ａの下側の部分で縫合されている。同様に、この左ストラップ部１０２ｂの一端側は、左後身頃１４ｄに対して、縫合されており、その他端側は、左カップ部１０１ｂの内側において、左カップ周縁部１０７ｂの下側の部分で縫合されている。
【００５９】
そして、例えば、図８で示すように、授乳の際には、片側の乳房を露出させる為に、開閉式留具２０４から、右カップ部１０１ａの上部を外すと、右カップ部１０１ａは、下側にめくれるようになっている。そして、乳房Ｍ２が露出され、授乳することが出来るようになっている。左カップ部１０１ａも同様に、閉式留具２０４から左カップ部１０１ｂの上部を外すと、左カップ部１０１ｂは、下側にめくれて、乳房が露出できるようになっている。
【００６０】
また、図８及び図９を参照すると、右カップ部１０１ａの内側には、母乳パッド保持部１０９ａが形成されている。同様に、左カップ部１０１ｂの内側には、母乳パッド保持部１０９ｂが形成されている。
従って、この授乳ブラジャー１０ａに母乳パッド２１を取付けると、母乳パッド２１が、母乳パッド保持部１０９ａ、１０９ｂで保持され、母乳パッド２１の周縁が、母乳パッド保持部１０９ａ、１０９ｂで覆われる。このため、装着者Ｍが、授乳ブラジャー１０ａに母乳パッド２１を取り付けて着用している際に、母乳パッド２１の周縁が、母乳パッド保持部１０９ａ、１０９ｂで覆われ、母乳パッド２１の周囲の動きが規制され、保持性はさらに良好となり、母乳パッド２１がずれることが無い。このため、母乳パッド２１で、母乳の吸収がスムーズに行われる。
【００６１】
母乳パッド保持部１０９ａ、１０９ｂの開口部１８ａ、１８ｂから母乳パッド２１の中央部が露出されるようになっている。このため、開口部１８ａ、１８ｂから露出する母乳パッド２１に乳房Ｍ２の乳首Ｍ１部分が容易に当たるので、母乳を母乳パッド２１にスムーズに吸収でき、母乳パッド２１で吸収されないということを低減できる。
そして、この授乳ブラジャー１０ａは、授乳の際に、左右カップ部１０１ａ、１０１ｂを開閉式留具２０４から外し、下側にめくるようにして、乳房を露出するが、この場合でも、母乳パッド保持部１０９ａ、１０９ｂがあるので母乳パッド２１が下に落ちたりすることが無い。
このため、母乳パッド２１を取り付けてもずれたり、落ちたりすることが無く、また、片手で容易に授乳することができる。
【００６２】
ところで、本発明は、上述の実施形態に限定されるものではなく、特許請求の範囲を逸脱しない範囲で種々の変更を行うことができる。例えば、第１の実施形態と第２の実施形態の左右カップ部を相互に変更してもよい。つまり、上記実施形態の各構成は、その一部を省略し、あるいは上記と異なるように任意に組み合わせることもできる。
以上、説明したように、本発明によれば、開口部から露出される母乳パッドが装着者の乳首領域に当接され、母乳パッドが保持部により保持されるので、使用の際にずれてしまうことを低減できるようになっている。
【図面の簡単な説明】
【００６３】
【図１】本発明の授乳ブラジャーの好ましい実施の形態の装着者が装着している状態を示す概略説明図である。
【図２】図１の授乳ブラジャーの授乳可能の状態を示す概略説明図である。
【図３】図１の授乳ブラジャーの全体を説明するための表側の概略展開図である。
【図４】図１の授乳ブラジャーの全体を説明するための裏側の概略展開図である。
【図５】図１の授乳ブラジャーの全体を説明するための表側の概略展開図である。
【図６】図１の授乳ブラジャーの左右カップ部等の構造を説明するための概略断面図である。
【図７】本発明の別の授乳ブラジャーの好ましい実施の形態の装着者が装着している状態を示す概略説明図である。
【図８】図７の授乳ブラジャーの授乳可能の状態を示す概略説明図である。
【図９】図７の授乳ブラジャーの左右カップ部を説明するための裏側を示す一部概略図である。
【符号の説明】
【００６４】
１０、１０ａ・・・授乳ブラジャー、１１ａ、１０１ａ・・・右カップ部、１１ｂ、１０１ｂ・・・左カップ部、１２ａ、１０２ａ・・・右ストラップ部、１２ｂ、１０２ｂ・・・左ストラップ部、１３・・・調整部、１４ａ・・・右前身頃、１４ｂ・・・左前身頃、１４ｃ・・・右後身頃、１４ｄ・・・左後身頃、１５ａ・・・右開閉部、１５ｂ・・・左開閉部、１６ａ・・・係合凹部、１６ｂ・・・係合凸部、１７ａ、１０７ａ・・・右カップ周縁部、１７ｂ，１０７ｂ・・・左カップ周縁部、１８ａ、１８ｂ・・・開口部、１９ａ、１９ｂ、１０９ａ、１０９ｂ・・・母乳パッド保持部、２０・・・アンダーバスト部、２１・・・母乳パッド、２２ａ・・・右ワイヤー端部、２２ｂ・・・左ワイヤー端部、２３ａ・・・右支持部、２３ｂ・・・左支持部、２４・・・取外し部、２５・・・連結部、２６、２０６・・・ワイヤー、２７ａ・・・ループ、２７ｂ・・・係止部、２８・・・クロス部、２９・・・支持部台前身頃部、１０４・・・前身頃、２９ａ・・・支持部台前中心部、３０・・・長さ調整部、３１・・・両面テープ、３２ａ・・・右脇支持部、３２ｂ・・・左脇支持部、３３ａ・・・右支持部下縁部、３３ｂ・・・左支持部下縁部、３４ａ・・・右支持部上縁部、３４ｂ・・・左支持部上縁部、２０４・・・開閉式留具
【図１】
0005114142.tif 000002
【図２】
0005114142.tif 000003
【図３】
0005114142.tif 000004
【図４】
0005114142.tif 000005
【図５】
0005114142.tif 000006
【図６】
0005114142.tif 000007
【図７】
0005114142.tif 000008
【図８】
0005114142.tif 000009
【図９】
0005114142.tif 000010